(57)【要約】【課題】夜間でも名前の文字が読み取りやすく、立体感に富む表札を提供することにある。【解決手段】鏡の台材１１の表面に部分的につや消し加工を施して、このつや消し加工を施したつや消し面１２と、残部の鏡面１３とで名前の文字を描出し、前記つや消し加工を施したつや消し面１２と残部鏡面１３との段差を０．１ｍｍ以上とすることにより、夜間でも文字を読み取りやすくするとともに、深みのある立体感をもたせることができるようにした。【選択図】図１
0003107107.tif 000002
【実用新案登録請求の範囲】
【請求項１】
鏡の台材の表面に部分的につや消し加工を施して、つや消し加工を施したつや消し面と、残部の鏡面とで名前の文字を描出した表札において、前記つや消し加工を施したつや消し面と前記残部鏡面との段差を０．１ｍｍ以上としたことを特徴とする表札。
【請求項２】
前記つや消し加工をブラスト加工とした請求項１に記載の表札。
【請求項３】
前記台材表面を適宜２分割し、一方をつや消し面で文字を描出し、他方を鏡面で文字を描出した請求項１または２に記載の表札。
【請求項４】
前記台材の裏面に、合成樹脂板を貼付した請求項１から３のいずれかに記載の表札。
【考案の詳細な説明】
【技術分野】
【０００１】
この考案は、家屋やマンションの玄関に掲げられる表札に関する。
【背景技術】
【０００２】
従来、家屋やマンションの玄関に掲げられる表札は、金属製や木製のものが多く用いられている。しかしこれらは、夜間は照明がないと見えにくく表札としての用を成さず、また雨水等により腐食しやすく耐久性に劣るという欠点があった。
【０００３】
そこで鏡の台材の表面に、名前の文字を彫り込むかあるいは浮き出させてなる表札が提案されている（例えば、特許文献１参照）。このような表札は、道路などのわずかな光でも反射し文字を浮き出させるため、夜間でも名前の文字を読み取ることができ、また腐食しないので耐久性も優れている。
【０００４】
一方、鏡の表面につや消し加工を施し、つや消し面と、残部の鏡面とで模様等を描出する方法がよく知られている。このようなつや消し加工を施した鏡は、つや消し面と鏡面における光の反射特性の違いを利用して模様等を描出するものであり、つや消し面と鏡面にはほとんど段差がないのが通常である。
【特許文献１】特開２０００−１４８０２６号公報
【考案の開示】
【考案が解決しようとする課題】
【０００５】
特許文献１に記載の表札は、彫り込みや浮き出させの手段は明確でないが、上述した従来の鏡のつや消し加工によるものであれば、表面の段差がほとんどなく立体感に欠ける問題がある。
【０００６】
そこでこの考案の解決しようとする課題は、夜間でも名前の文字が読み取りやすく、立体感に富む表札を提供することである。
【課題を解決するための手段】
【０００７】
上記した課題を解決するため、この考案は、鏡の台材の表面に部分的につや消し加工を施して、このつや消し加工を施したつや消し面と、残部の鏡面とで名前の文字を描出した表札において、前記つや消し加工を施したつや消し面と前記残部鏡面との段差を０．１ｍｍ以上とする構成を採用した。また前記段差は、０．２ｍｍ以上とするのが好ましい。
【０００８】
すなわち、つや消し加工を施したつや消し面と残部鏡面との段差を０．１ｍｍ以上、好ましくは０．２ｍｍ以上とすることにより、鏡の底での反射光のずれを利用して、名前の文字に深みのある立体感が得られるようにした。
【０００９】
つや消し加工をブラスト加工とすることにより、簡便かつ迅速につや消し面と残部鏡面との段差を形成することができる。
【００１０】
台材表面を適宜２分割し、一方をつや消し面で文字を描出し、他方を鏡面で文字を描出することにより、表札をデザイン性に富んだものとできる。
【００１１】
前記台材の裏面に合成樹脂板を貼付することにより、表札を誤って割ってしまっても、ガラスの破片が合成樹脂板に貼り付いているため飛び散らないようにし、表札を取り扱う際の安全を確保することができる。
【考案の効果】
【００１２】
この考案の表札は、つや消し加工を施したつや消し面と鏡面との段差を０．１ｍｍ以上、好ましくは０．２ｍｍ以上としたので、鏡の底での反射光のずれを利用して、名前の文字に深みのある立体感を得ることができる。
【００１３】
つや消し加工をブラスト加工とすることにより、簡便かつ迅速につや消し面と残部鏡面との段差を形成することができる。
【００１４】
台材表面を適宜２分割し、一方をつや消し面で文字を描出し、他方を鏡面で文字を描出することにより、表札をデザイン性に富んだものとできる。
【００１５】
前記台材の裏面に合成樹脂板を貼付することにより、表札を誤って割ってしまっても、ガラスの破片が合成樹脂板に貼り付いているため飛び散らず、表札を取り扱う際の安全を確保することができる。
【考案を実施するための最良の形態】
【００１６】
以下図面に基づき、この考案の実施形態を説明する。図１（ａ）、（ｂ）は第一の実施形態を示す。この表札１０は、図１（ａ）に示すように、鏡の台材１１の表面の一部にブラスト加工が施され、ブラスト加工が施されたつや消し面１２と、残部の鏡面１３とで名前の文字が描出されている。
【００１７】
前記方形の台材１１の表面は、対角線で二つに区分けされ、上左半部は鏡面１３を背景とし、そこに漢字の名前の文字を、ブラスト加工を施すことにより、つや消し面１２として描出している。また表札１０の下右半部は、背景を、ブラスト加工を施したつや消し面１２とし、残部の鏡面１３により、アルファベットの名前の文字が浮き出すように描出されている。台材１１の表面を対角線で二分し、一方をつや消し面１２で文字を描出し、他方を鏡面１３で文字を描出することにより、表札１０を非常にデザイン性に富んだものとできる。
【００１８】
図１（ｂ）に示すように、ブラスト加工が施されたつや消し面１２と残部の鏡面１３との段差δは、０．１ｍｍ以上、好ましくは０．２ｍｍ以上とされている。図１（ｂ）中１１ａは、銀などの金属薄膜である。薄膜１１ａで文字が反射して目に入ることにより、図１（ａ）に示したように、文字が２重に見え、つや消し面１２と鏡面１３とに段差が付けられていることもあいまって、深みのある立体感が得られる。
【００１９】
また、図１（ｂ）に示すように、台材１１の裏面には、合成樹脂板１４が貼り付けられている。これにより、表札１０が落下等し破損した場合でも、ガラス片は合成樹脂板１４から離れないため、周囲に飛び散らず安全である。貼り付けは、両面テープを用いるなど任意の方法で行われる。
【００２０】
図２は、この考案の第二の実施形態を示す。この表札２０は、方形の台材２１表面にブラスト加工を施すことにより、全体の背景をつや消し面２２とし、残部の鏡面２３により漢字の名前およびアルファベットの名前の文字が浮き出すように描き出されている。第一の実施形態のものと同様に、つや消し面２２と鏡面２３との段差は０．１ｍｍ以上、好ましくは０．２ｍｍ以上とされ、台材２１の裏面には、合成樹脂板が貼り付けられている。
【００２１】
つや消し加工の方法としては、実施形態では微小な砂等の研磨剤を高速で吹き付けるサンドブラスト法を用いているが、フッ化水素などのガラス腐食性の酸で腐食させる方法などを用いてもよい。
【００２２】
上述した各実施形態では台材１１，２１を方形としたが、これに限られず趣向に応じて円形や楕円形など任意の形状にできる。また表札１０，２０に描出されるものは、名前の文字だけに限定されずイニシャル、図形、模様、記号等任意のものが含まれる。
【図面の簡単な説明】
【００２３】
【図１】（ａ）は第一の実施形態の表札を示す斜視図、（ｂ）は（ａ）のｂ−ｂ線に沿った断面図
【図２】第二の実施形態の表札を示す斜視図
【符号の説明】
【００２４】
１０  表札
１１  台材
１１ａ  金属薄膜
１２  つや消し面
１３  鏡面
１４  合成樹脂板
２０  表札
２１  台材
２２  つや消し面
２３  鏡面
【図１】
0003107107.tif 000003
【図２】
0003107107.tif 000004